(57)【特許請求の範囲】
【請求項１】
筐体(2)の内部に、貯蔵タンク(4)と、該貯蔵タンクの外側に形成された冷却路(12)と、熱交換手段(21)を配設し；前記熱交換手段(21)の冷却側に、冷却送風手段(20)を設け、該冷却送風手段により冷風を前記冷却路(12)に供給するように構成し；前記熱交換手段(21)の放熱側に、放熱ヒートシンク(26)と、該放熱ヒートシンクに外気を送風する放熱送風手段(28)と、前記放熱ヒートシンクを通過した温風を筐体の外部に向けて流通させる流路(37)を設け；前記熱交換手段(21)の結露水を受けるドレン容器(29)を前記放熱側に配設して成る保冷米びつ装置において、
基板(26a)に多数の横向きのフィン(26b)を上下に間隔をあけて配列させた放熱ヒートシンク(26)に対して、前記フィン(26b)に対向するカバー壁(27a)と該カバー壁の下縁から折曲されて最下位のフィンの下側に沿うレール壁(27b)を備えたカバー部材(27)を設け、前記放熱送風手段(28)の送風を多数のフィン(26b)の相互間と、前記最下位のフィンとレール壁(27b)の間の横向き路(36b)に進入させると共に、放熱ヒートシンクの側部から前記流路(37)を介して筐体の外部に排出させるように構成され、
前記ドレン容器(29)は、前記レール壁(27b)の下側に沿って配置された横長の上部開口状容器から成り、前記流路(37)に臨んで容器の側壁(29c)から上方に延長されたデフレクタ板(42)を設けることにより温風案内手段(40)を構成しており、
前記デフレクタ板(42)の側縁と前記ドレン容器(29)の開口縁を結ぶ整流板(43)を設けて成ることを特徴とする保冷米びつ装置。
【請求項２】
筐体(2)の内部に、貯蔵タンク(4)と、該貯蔵タンクの外側に形成された冷却路(12)と、熱交換手段(21)を配設し；前記熱交換手段(21)の冷却側に、冷却送風手段(20)を設け、該冷却送風手段により冷風を前記冷却路(12)に供給するように構成し；前記熱交換手段(21)の放熱側に、放熱ヒートシンク(26)と、該放熱ヒートシンクに外気を送風する放熱送風手段(28)と、前記放熱ヒートシンクを通過した温風を筐体の外部に向けて流通させる流路(37)を設け；前記熱交換手段(21)の結露水を受けるドレン容器(29)を前記放熱側に配設して成る保冷米びつ装置において、
基板(26a)に多数の横向きのフィン(26b)を上下に間隔をあけて配列させた放熱ヒートシンク(26)に対して、前記フィン(26b)に対向するカバー壁(27a)と該カバー壁の下縁から折曲されて最下位のフィンの下側に沿うレール壁(27b)を備えたカバー部材(27)を設け、前記放熱送風手段(28)の送風を多数のフィン(26b)の相互間と、前記最下位のフィンとレール壁(27b)の間の横向き路(36b)に進入させると共に、放熱ヒートシンクの両側から前記流路(37L,37R)を介して筐体の外部に排出させるように構成され、
前記ドレン容器(29)は、前記レール壁(27b)の下側に沿って配置された横長の上部開口状容器から成り、一方の流路(37L)に臨んで容器の側壁(29c)から上方に延長されたデフレクタ板(42)を設けることにより温風案内手段(40)を構成しており、
前記温風案内手段(40)は、前記横向き路(36b)から一方の流路(37L)に向けて流出する温風をドレン容器(29)に導くことにより、該容器内の水(41)を蒸発させると共に、気化した水分を他方の流路(37R)に排出させるように構成されて成ることを特徴とする保冷米びつ装置。
【請求項３】
前記ドレン容器(29)は、該容器の内部に底部から起立する吸水性の吸水板(38)を設けており、前記温風案内手段(40)により導かれた温風の進路に対向する位置に前記吸水板(38)を配置しており、
前記吸水板(38)は、ドレン容器(29)の長手方向に間隔をあけて該容器の底部(29b)から起立する複数枚の吸水板(38a,38b)を該容器の中央よりも前記温風案内手段(40)に近づく位置に設けており、該吸水板(38a,38b)により該容器の長手方向に複数の貯水部(29A,29B,29C)を構成して成ることを特徴とする請求項１又は２に記載の保冷米びつ装置。
【発明の詳細な説明】
【技術分野】
【０００１】
本発明は、米等の穀物を貯蔵すると共に低温で保存可能とする保冷米びつ装置に関する。
【背景技術】
【０００２】
従来、米等の穀物を貯蔵する貯蔵タンクの外側部に冷却路を形成すると共に熱交換手段を設け、熱交換手段の冷却側に設けた冷却送風手段で冷風を前記冷却路に供給することにより、穀物を低温で保存するように構成した保冷米びつ装置が提供されている。
【０００３】
この際、保冷米びつ装置は、前記熱交換手段の冷却側で結露水が生じるため、該結露水を受けるためのドレン容器を設けている。
【先行技術文献】
【特許文献】
【０００４】
【特許文献１】特開２０１１−７５２６５号公報
【特許文献２】特開平１１−３０９０７６号公報
【発明の概要】
【発明が解決しようとする課題】
【０００５】
ところで、例えば、一般家庭で使用される保冷米びつ装置の場合、ユーザは定期的メンテナンスを好まず、或いはメンテナンスを忘れやすいので、結露水を貯留したドレン容器が放置され、ドレン容器から水が溢れてしまい、床面等に流出するという問題がある。
【０００６】
そこで、ドレン容器に貯留した水を蒸発させることが好ましいが、簡単な構造で効率よく蒸発させるための水処理機構を提供することが課題となる。
【課題を解決するための手段】
【０００７】
本発明は、上記課題を解決した保冷米びつ装置を提供するものであり、その第１の手段として構成したところは、筐体の内部に、貯蔵タンクと、該貯蔵タンクの外側に形成された冷却路と、熱交換手段を配設し；前記熱交換手段の冷却側に、冷却送風手段を設け、該冷却送風手段により冷風を前記冷却路に供給するように構成し；前記熱交換手段の放熱側に、放熱ヒートシンクと、該放熱ヒートシンクに外気を送風する放熱送風手段と、前記放熱ヒートシンクを通過した温風を筐体の外部に向けて流通させる流路を設け；前記熱交換手段の結露水を受けるドレン容器を前記放熱側に配設して成る保冷米びつ装置において、基板に多数の横向きのフィンを上下に間隔をあけて配列させた放熱ヒートシンクに対して、前記フィンに対向するカバー壁と該カバー壁の下縁から折曲されて最下位のフィンの下側に沿うレール壁を備えたカバー部材を設け、前記放熱送風手段の送風を多数のフィンの相互間と、前記最下位のフィンとレール壁の間の横向き路に進入させると共に、放熱ヒートシンクの側部から前記流路を介して筐体の外部に排出させるように構成され、前記ドレン容器は、前記レール壁の下側に沿って配置された横長の上部開口状容器から成り、前記流路に臨んで容器の側壁から上方に延長されたデフレクタ板を設けることにより温風案内手段を構成しており、前記デフレクタ板の側縁と前記ドレン容器の開口縁を結ぶ整流板を設けて成る点にある。
【０００８】
更に、本発明が第２の手段として構成したところは、筐体の内部に、貯蔵タンクと、該貯蔵タンクの外側に形成された冷却路と、熱交換手段を配設し；前記熱交換手段の冷却側に、冷却送風手段を設け、該冷却送風手段により冷風を前記冷却路に供給するように構成し；前記熱交換手段の放熱側に、放熱ヒートシンクと、該放熱ヒートシンクに外気を送風する放熱送風手段と、前記放熱ヒートシンクを通過した温風を筐体の外部に向けて流通させる流路を設け；前記熱交換手段の結露水を受けるドレン容器を前記放熱側に配設して成る保冷米びつ装置において、基板に多数の横向きのフィンを上下に間隔をあけて配列させた放熱ヒートシンクに対して、前記フィンに対向するカバー壁と該カバー壁の下縁から折曲されて最下位のフィンの下側に沿うレール壁を備えたカバー部材を設け、前記放熱送風手段の送風を多数のフィンの相互間と、前記最下位のフィンとレール壁の間の横向き路に進入させると共に、放熱ヒートシンクの両側から前記流路を介して筐体の外部に排出させるように構成され、前記ドレン容器は、前記レール壁の下側に沿って配置された横長の上部開口状容器から成り、一方の流路に臨んで容器の側壁から上方に延長されたデフレクタ板を設けることにより温風案内手段を構成しており、前記温風案内手段は、前記横向き路から一方の流路に向けて流出する温風をドレン容器に導くことにより、該容器内の水を蒸発させると共に、気化した水分を他方の流路に排出させるように構成されて成る点にある。
【０００９】
この際、前記ドレン容器は、該容器の内部に底部から起立する吸水性の吸水板を設け、前記温風案内手段により導かれた温風の進路に対向する位置に前記吸水板を配置することが好ましく、更に、前記吸水板は、ドレン容器の長手方向に間隔をあけて該容器の底部から起立する複数枚の吸水板を該容器の中央よりも前記温風案内手段に近づく位置に設けられ、該吸水板により該容器の長手方向に複数の貯水部を構成することが好ましい。
【発明の効果】
【００１０】
本発明によれば、熱交換手段２１の結露水を受けるドレン容器２９を放熱側に配設し、放熱側に設けられた放熱ヒートシンク２６を通過させられた温風が筐体２の外部に向けて流通する流路３７に温風案内手段４０を設け、該温風案内手段４０により温風の一部をドレン容器２９に導く構成において、多数の横向きのフィン２６ｂを上下に間隔をあけて配列させた放熱ヒートシンク２６に対して、前記フィン２６ｂに対向するカバー壁２７ａと該カバー壁の下縁から折曲されて最下位のフィンの下側に沿うレール壁２７ｂを備えたカバー部材２７を設け、放熱送風手段２８の送風を多数のフィン２６ｂの相互間と、前記最下位のフィンとレール壁２７ｂの間の横向き路３６ｂに進入させ、放熱ヒートシンクの側部から前記流路３７を介して筐体の外部に排出させるように構成しているので、ドレン容器２９に貯留する水４１の蒸発を積極的に促進することができ、その結果、ドレン容器２９の貯水が溢れることはなく、メンテナンスフリーの水処理機構が提供される。
【００１１】
この際、ドレン容器２９は、前記レール壁２７ｂの下側に沿って配置された横長の上部開口状容器により形成され、流路３７に臨んで容器の側壁２９ｃから上方に延長されたデフレクタ板４２により温風案内手段４０を構成しているので、簡単な構造で安価にメンテナンスフリーの水処理機構を提供することができる。
そして、請求項１に記載の本発明によれば、デフレクタ板４２の側縁とドレン容器２９の開口縁を結ぶ整流板４３を設けているので、デフレクタ板４２により受止められた温風を拡散させず容器２９の内部に好適に導くことが可能になる。
また、請求項２に記載の本発明によれば、温風を放熱ヒートシンク２６の両側から流路３７Ｌ、３７Ｒを介して筐体２の外部に排出させる構成に関して、温風案内手段４０により前記横向き路３６ｂから一方の流路３７Ｌに向けて流出する温風をドレン容器２９に導き、他方の流路３７Ｒから排出するように構成しているので、容器２９の水４１を好適に蒸発させ、気化した水分を他方の流路３７Ｒに好適に排出させることができる。
【００１２】
請求項３に記載の本発明によれば、ドレン容器２９の底部２９ｂから吸水板３８を起立させ、該吸水板３８を温風案内手段４０により導かれた温風の進路に対向する位置に配置することにより、該吸水板３８に含浸させた水を該吸水板３８の広い面積とされた板面上で温風により蒸発させる構成であるから、水処理のための蒸発効率が良好となる。
しかも、吸水板３８は、ドレン容器２９の長手方向に間隔をあけて該容器の底部２９ｂから起立する複数枚の吸水板３８ａ、３８ｂを該容器２９の中央よりも前記温風案内手段４０に近づく位置に設けているので、温風を吸水板２８ａに好適に衝突させることができ、しかも、該吸水板３８ａ、３８ｂにより該容器の長手方向に複数の貯水部２９Ａ、２９Ｂ、２９Ｃを構成し、蒸発に伴って貯水が次第に第１貯水部２９Ａから第２貯水部２９Ｂを経て第３貯水部２９Ｃに移動するように構成しているので、狭小空間にドレン容器２９を配置した構成でありながら、効率的な蒸発を可能とした水処理機構が提供される。
【図面の簡単な説明】
【００１３】
【図１】本発明の１実施形態に係る保冷米びつ装置を示す斜視図である。
【図２】保冷米びつ装置の縦断面図である。
【図３】保冷米びつ装置における穀物の計量手段及び取出手段を示す縦断面図である。
【図４】保冷米びつ装置における保冷機構を示す縦断面図である。
【図５】保冷機構の一部と筐体の関係を示す分解斜視図である。
【図６】保冷機構の構成部品を示す分解斜視図である。
【図７】筐体の内部における放熱ヒートシンクと放熱送風手段とドレン容器の関係を示す斜視図である。
【図８】ドレン容器と温風案内手段を示す斜視図である。
【図９】温風案内手段の作用を背面側から示す断面図である。
【発明を実施するための形態】
【００１４】
以下、図面に基づいて本発明の１実施形態を説明する。
【００１５】
図１及び図２に示すように、米びつ装置１は、底盤２ａの上部空間を囲繞する正面壁２ｂと両側面壁２ｃ、２ｃと背面壁２ｄから成る筐体２の上部に開閉自在な蓋盤３を設けており、前記筐体２の内部に貯蔵タンク４を内装し、該貯蔵タンク４の下側に計量手段５と取出手段６を配設している。
【００１６】
従って、蓋盤３の開閉を介して米等の穀物を貯蔵タンク４に投入することにより保存し、穀物を消費する際は、計量手段５で計量した必要量の穀物を取出手段６により取出すことができる。
【００１７】
図３に示すように、前記計量手段５は、貯蔵タンク４のホッパー出口４ａに臨んで上下に連通する計量部５ａを備えた引出体５ｂにより構成され、図示矢印Ａで示すように、正面壁２ｂから引き出し自在に挿入されている。前記引出体５ｂは、挿入状態で前記ホッパー出口４ａから落下する穀物を計量部５ａにより受取り、引き出されたとき、計量部５ｂを仕切壁７の連通路７ａを介して取出手段６に連通させ、計量部５ｂから穀物を取出手段６に向けて落下させる。前記取出手段６は、正面壁２ｂから引き出し自在に挿入された引出体６ａを構成しており、該引出体６ａを引き抜くことにより、持ち運びが可能である。
【００１８】
貯蔵タンク４に貯蔵された穀物の量は、消費により次第に減少するので、図１及び図２に示すように、正面壁２ｂに透明又は半透明の素材から成る透視窓８が設けられ、該透視窓８の側部に目盛を付設している。従って、ユーザは、蓋盤３を開閉しなくても、外部から透視窓８を透視することにより、穀物の貯蔵残量を視認することが可能である。
【００１９】
尚、図２に示すように、底盤２ａの背面側にはキャスター９が設けられ、正面壁２ｂの上部には凹入形成された把手１０が設けられている。従って、ユーザは、把手１０を介して底盤２ａの正面側を持ち上げた状態で、キャスター９により米びつ装置１を床面上で容易に移動させることができる。
【００２０】
［保冷機構の構成］
米びつ装置１は、貯蔵タンク４に貯蔵した穀物の低温保存を可能にする保冷機構を内蔵している。このため、図示のように、貯蔵タンク４の上下及び周囲には、分厚い断熱材１１が設けられているが、図４に示すように、貯蔵タンク４の背面側に沿って冷却路１２が形成されている。
【００２１】
保冷機構は、図５に示すように、筐体２の内部に取付固定される支持板１３に保持部材１４を重ね合わせて固定し、支持板１３の背面側の上部に電源基板１５と該電源基板１５を被う基板用カバー１６を取付ける構成とされており、前記保持部材１４は、保持窓孔１４ａを貫設すると共に、該保持窓孔１４ａの上部と連通する凹部１４ｂを設けており、該凹部１４ｂにより前記冷却路１２の始端部１２ａを形成する。そこで、前記支持板１３及び保持部材１４に対して種々の部品及び装置が組付けられる。
【００２２】
図６に示すように、前記保持部材１４の保持窓１４ａには、固定用枠部材１７が嵌入固定される。該固定用枠部材１７は、前記冷却路１２の始端部１２ａとなる凹部１４ｂに連通する冷却室１７ａを形成すると共に、該冷却室１７ａの底部に結露水を導出するためのドレンパイプ１８が挿着される。
【００２３】
前記固定用枠部材１７の冷却室１７ａには、縦向きのフィンを横方向に間隔をあけて配列した冷却ヒートシンク１９が配置され、該冷却ヒートシンク１９にはモータ付きファンを備えた冷却送風手段２０が取付けられ、前記冷却ヒートシンク１９のフィンに向けて送風するように構成されている。尚、前記固定用枠部材１７には、前記冷却送風手段２０によって前記冷却ヒートシンク１９に吹き付けられた後、下方に流れた気流を前記冷却路１２に戻すための戻し口１２ｂが形成される。
【００２４】
前記支持板１３の背面側には、熱交換手段２１が設けられる。図示実施形態の場合、熱交換手段２１は、温度センサ２２により検出した冷却路１２の温度に応じて通電制御されるペルチェ素子により構成されており、断熱パッキン２３に内嵌される。ペルチェ素子から成る熱交換手段２１の冷却側（図示正面側）には、断熱保持枠２４に内嵌されたアルミブロック等の金属ブロック２５が添設され、該断熱保持枠２４は、前記支持板１３の挿通窓１３ａを介して前記固定用枠部材１７に嵌入し固定される。
【００２５】
前記熱交換手段２１を構成するペルチェ素子の放熱側（図示背面側）には、放熱ヒートシンク２６が配置される。該放熱ヒートシンク２６は、基板２６ａから横向きのフィン２６ｂを上下に間隔をあけて配列しており、前記基板２６ａを前記支持板１３に取付け固定される。
【００２６】
更に、前記放熱ヒートシンク２６を被うカバー部材２７が前記支持板１３に取付け固定され、該カバー部材２７は、前記フィン２６ｂに対向するカバー壁２７ａと、該カバー壁２７ａの上下縁から折曲されることにより最上位のフィンと最下位のフィンに沿って配置されるレール壁２７ｂを備えている。
【００２７】
前記カバー部材２７のカバー壁２７ａに開設された送風窓孔２７ｃには、モータ付きファンを備えた放熱送風手段２８が設けられ、前記放熱ヒートシンク２６のフィン２６ｂに向けて送風するように構成されている。
【００２８】
図５に示すように、前記放熱ヒートシンク２６の下側に沿って上部開口状のドレン容器２９が配置され、上記ドレンパイプ１８の先端を該ドレン容器２９の内部に向けて臨ませている。尚、ドレン容器２９の詳細は、水処理機構とあわせて後述する。
【００２９】
筐体２を構成する側面壁２ｃ、２ｃは、前記保冷機構の両側に臨んで多数の小孔又はスリットから成る排気孔３０を設けている。背面壁２ｄは、前記放熱送風手段２８に臨む外気導入用窓孔３１を設けており、該窓孔３１を外側から被うフィルター３２が設けられる。尚、ドレン容器２９の一方の側部に位置して電源コード３３が配置され、背面壁２ｄの導出孔３４から筐体２の外部に導かれる。
【００３０】
［保冷機構の作用］
上記のように構成した保冷機構によれば、図４に示すように、熱交換手段２１は、冷却側の金属ブロック２５を冷却すると共に、冷却室１７ａの冷却ヒートシンク１９により冷気を生成する。冷気は、冷却送風手段２０により冷却ヒートシンク１９に吹きつけられる送風により、始端部１２ａから冷却路１２に供給される。
【００３１】
冷却路１２に供給された一部の冷気は、好ましくは、連通路３５を介して貯蔵タンク４の内部に導かれる。その他の冷気は、貯蔵タンク４の外周方向に延びる冷却路１２から還流路１２ｃを経て冷却室１７ａに戻され、これにより冷気の循環を繰り返し、貯蔵タンク４に貯蔵された穀物の低温保存を可能にする。
【００３２】
熱交換手段２１の高温化する放熱側は、放熱ヒートシンク２６により放熱される。この際、放熱送風手段２８により、背面壁２ｄの外気導入用窓孔３１から導入された外気が放熱ヒートシンク２６のフィン２６ｂに向けて吹きつけられ、該フィン２６ｂに沿って流れることにより暖められた温風を放熱ヒートシンク２６の両側から両側面壁２ｃの排気孔３０に向けて排出する。
【００３３】
前記熱交換手段２１の冷却側において前記冷却ヒートシンク１９に結露した結露水は、ドレンパイプ１８を経てドレン容器２９に貯留させられる。
【００３４】
［水処理機構］
本発明の保冷米びつ装置は、ドレン容器２９に貯留する水を簡単な構造で効率よく蒸発させるための水処理機構を設けている。
【００３５】
上述のように、放熱送風手段２８により吹きつけられる送風は、放熱ヒートシンク２６の基板２６ａとカバー部材２７のカバー壁２７ａの間の内部空間を正圧とすることにより、多数のフィン２６ｂの相互間に好適に進入し、最上位のフィン及び最下位のフィンとカバー部材２７のレール壁２７ｂとの間に形成された横向き路３６ａ、３６ｂに好適に進入する。
【００３６】
そして、フィン２６ｂにより暖められた温風は、該フィン２６ｂに沿って横向きに流れ、放熱ヒートシンク２６及びカバー部材２７の左右の開放部から、両側面壁２ｃの排気孔３０に向けて横向きに吹き出される。従って、図７ないし図９に示すように、放熱ヒートシンク２６の左右両側には、温風を両側面壁２ｃ、２ｃの排気孔３０に向けて横向きに流通させる流路３７Ｌ、３７Ｒが形成されている。
【００３７】
前記ドレン容器２９は、横長とされた上部開口状の容器から成り、放熱ヒートシンク２６の下方、つまり、カバー部材２７の下側のレール壁２７ｂの下方に位置して、図４に示すように、上部の開口部が部分的に前記レール壁２７ｂにオーバラップするようにして底盤２ａに設置されており、該容器２９の側壁に形成した孔又は切欠き部２９ａを介して、ドレンパイプ１８の先端部を該容器２９の内部に臨ませている。
【００３８】
図９に示すように、前記ドレン容器２９の内部には、該容器２９の底部２９ｂから起立する吸水性の吸水板が設けられ、図示実施形態の場合、２枚の吸水板３８ａ、３８ｂが該容器の長手方向に間隔をあけて設けられている。吸水板３８ａ、３８ｂは、フェルト等の毛細管機能と貯水機能に優れた素材により形成されており、容器２９の内部に設けた保持手段３９に挿脱自在に差し込むことにより起立姿勢を保持している。
【００３９】
従って、上述したように熱交換手段２１の冷却側で生じた結露水は、ドレンパイプ１８を経て、放熱側に設置されたドレン容器２９に貯留されると共に、吸水板３８ａ、３８ｂに含浸させられる。
【００４０】
左右流路のうち少なくとも一方の流路３７Ｌには、該流路を流通する温風の一部をドレン容器２９に導く温風案内手段４０が設けられている。これにより、ドレン容器２９に貯留する水４１は、温風により蒸発を促進させられ、気化した水分は、流路３７Ｌ、３７Ｒに進入し、温風と共に排気孔３０から外部に排出される。このため、ドレン容器２９の貯水が溢れることはなく、メンテナンスフリーの水処理機構が提供される。
【００４１】
図示実施形態において、前記温風案内手段４０は、前記流路３７Ｌを流通する温風の一部を受止める位置から前記ドレン容器２９の開口部に向けて延びるデフレクタ板４２により構成されている。図例のように、デフレクタ板４２は、ドレン容器２９の側壁のうち前記流路３７Ｌに臨む側壁２９ｃを上方に延長することにより形成することができる。これにより、温風案内手段４０をドレン容器２９の一部分として、該容器２９の製造時に一体に形成することができるので、水処理機構の構造が簡単となる。
【００４２】
この際、該デフレクタ板４２の側縁と容器２９の開口縁を結ぶ整流板４３を設けることが好ましく、これによりデフレクタ板４２により受止められた温風を拡散させず容器２９の内部に好適に導くことが可能になる。
【００４３】
前記２枚の吸水板のうち一方の吸水板３８ａは、温風案内手段４０により導かれた温風の進路に対向する位置に配置することが好ましい。このため、図示のように、２枚の吸水板３８ａ、３８ｂをドレン容器２９の中央よりも温風案内手段４０に近づく位置に配置すると共に、一方の吸水板３８ａを更に温風案内手段４０に近づく位置に設けている。
【００４４】
これにより、温風案内手段４０により導かれた温風が前記吸水板３８ａの板面に向けて好適に衝突し、該吸水板３８ａに含浸した水を良好に蒸発させることが可能となる。
【００４５】
このような構成によれば、図９に示すように、ドレン容器２９は、ドレンパイプ１８から滴下する水を受ける第１貯水部２９Ａと、２枚の吸水板３８ａ、３８ｂの間の第２貯水部２９Ｂと、前記温風を受ける吸水板３８ａと側壁２９ｃの間の第３貯水部２９Ｃを構成し、第１貯水部２９Ａと第２貯水部２９Ｂに貯留する水を両貯水部の間の吸水板３８ｂにより吸収すると共に、第２貯水部２９Ｂと第３貯水部２９Ｃに貯留する水を両貯水部の間の吸水板３８ａにより吸収し、該吸水板３８ａにより吸収された水を温風案内手段４０から導かれた温風により積極的に蒸発させるので、蒸発に伴って貯水が次第に第１貯水部２９Ａから第２貯水部２９Ｂを経て第３貯水部２９Ｃに移動する。従って、放熱ヒートシンク２６と底盤２ａの間の狭小空間にドレン容器２９を配置した構成でありながら、効率的な蒸発を可能とした水処理機構が提供される。
【００４６】
前記温風案内手段４０を構成するデフレクタ板４２に関して、該デフレクタ板４２を高くすればするほど流路３７Ｌからの温風導入効果が増すが、その反面、流路３７Ｌから排気孔３０に対する温風の流れが妨げられ、放熱ヒートシンク２６の放熱効率が低下することになる。このため、図示のように、デフレクタ板４２は、少なくとも放熱ヒートシンク２６の最下位の横向き路３６ｂの側部に対向するように構成されている。因みに、デフレクタ板４２を前記横向き路３６ｂよりも上方に位置するフィン２６ｂの側部に対向する位置まで延長させるかどうかは、放熱ヒートシンク２６の放熱効率との関係において設計すれば良い。
【００４７】
尚、上記実施形態は、温風案内手段４０を一方の流路３７Ｌに設けた構成を示したが、両方の流路３７Ｌ、３７Ｒに温風案内手段４０を設けても良く、更に、温風案内手段４０の構成に関しても、デフレクタ板４２とは異なる構成を採用しても良く、要するに、放熱ヒートシンク２６により暖められた温風をドレン容器２９に導き、積極的に蒸発を促進するものであれば良い。
【００４８】
また、上記の図示実施形態では、放熱送風手段２８を放熱ヒートシンク２６と背面壁２ｄの間に配置し、該背面壁２ｄの窓孔３１を介して導入した外気を放熱ヒートシンク２６の両側から排出させることにより、左右に流路３７Ｌ、３７Ｒを形成させるようにした構成について説明したが、これに限定されるものではなく、例えば、放熱送風手段２８を放熱ヒートシンク２６の左右両側の一方に臨ませて配置し、筐体２の外部から導入した外気をフィン２６ｂと平行に吹き付けることにより、放熱ヒートシンク２６の左右両側の他方側から排出させるように構成しても良く、その場合、排出側に形成される温風の流路３７に前記温風案内手段４０を設ければ良い。
【符号の説明】
【００４９】
１  米びつ装置
２  筐体
２ａ  底盤
２ｂ  正面壁
２ｃ  側面壁
２ｄ  背面壁
３  蓋盤
４  貯蔵タンク
４ａ  ホッパー出口
５  計量手段
５ａ  計量部
５ｂ  引出体
６  取出手段
６ａ  引出体
７  仕切壁
７ａ  連通路
８  透視窓
９  キャスター
１０  把手
１１  断熱材
１２  冷却路
１２ａ  始端部
１２ｂ  戻し口
１２ｃ  還流路
１３  支持板
１３ａ  挿通窓
１４  保持部材
１４ａ  保持窓
１４ｂ  凹部
１５  電源基板
１６  基板用カバー
１７  固定用枠部材
１７ａ  冷却室
１７ｂ  孔
１８  ドレンパイプ
１９  冷却ヒートシンク
２０  冷却送風手段
２１  熱交換手段
２２  温度センサ
２３  断熱パッキン
２４  断熱保持枠
２５  金属ブロック
２６  放熱ヒートシンク
２６ａ  基板
２６ｂ  フィン
２７  カバー部材
２７ａ  カバー壁
２７ｂ  レール壁
２８  放熱送風手段
２９  ドレン容器
２９ａ  切欠き部
２９ｂ  底部
２９ｃ  側壁
２９Ａ  第１貯水部
２９Ｂ  第２貯水部
２９Ｃ  第３貯水部
３０  排気孔
３１  外気導入用窓孔
３２  フィルター
３３  電源コード
３４  導出孔
３５  連通路
３６ａ、３６ｂ  横向き路
３７Ｌ、３７Ｒ  流路
３８ａ、３８ｂ  吸水板
３９  保持手段
４０  温風案内手段
４１  水
４２  デフレクタ板
４３  整流板
【図１】
0006614836.tif 000002
【図２】
0006614836.tif 000003
【図３】
0006614836.tif 000004
【図４】
0006614836.tif 000005
【図５】
0006614836.tif 000006
【図６】
0006614836.tif 000007
【図７】
0006614836.tif 000008
【図８】
0006614836.tif 000009
【図９】
0006614836.tif 000010